(57)【要約】【課題】脚装置の構成部品点数を効果的に減少させながら適切に構成できるようにする。【解決手段】下端部に接地部１０を有した雄ねじ状をなす脚軸１と、この脚軸１に昇降可能に支持される昇降体２とを備えている。昇降体２は、支持対象物Ｐへの固定部２０１を備えると共に、脚軸１の通し抜け穴２０２を備えたベース部分２０と、ベース部分２０に上端部を回動可能に組み付けさせると共に、下端部の前面側に脚軸１の雄ねじ部１２に噛み合う雌ねじ状部２１２ａを有したロック体部分２１とを有している。ベース部分２０が、ロック体部分２１の雌ねじ状部２１２ａを前記通し抜け穴２０２に差し通される脚軸１の外周面に押しつけるように、このロック体部分２１の背面側に接する弾性片２０８を一体に備えている。【選択図】図２
2005337430.tif 000002
【特許請求の範囲】
【請求項１】
支持対象物を高さ調整可能に支持する脚装置であって、
下端部に接地部を有した雄ねじ状をなす脚軸と、この脚軸に昇降可能に支持される昇降体とを備えており、
この昇降体は、
支持対象物への固定部を備えると共に、脚軸の通し抜け穴を備えたベース部分と、
このベース部分に上端部を回動可能に組み付けさせると共に、下端部の前面側に脚軸の雄ねじ部に噛み合う雌ねじ状部を有したロック体部分とを有しており、
しかも、前記ベース部分が、ロック体部分の雌ねじ状部を前記通し抜け穴に差し通される脚軸の外周面に押しつけるように、このロック体部分の背面側に接する弾性片を一体に備えていることを特徴とする脚装置。
【請求項２】
ベース部分が、通し抜け穴を備えた上板部と、通し抜け穴を備えた下板部と、この上下板部間に亘る一対の側板部とを有しており、支持対象物に形成された一対の取り付け板部間に、この一対の取り付け板部の一方に一対の側板部の一方を接しさせ、かつ、この一対の取り付け板部の他方に一対の側板部の他方を接しさせるようにしてこの支持対象物に組み合わされるようになっていると共に、
この一対の側板部にそれぞれ固定部が形成されており、
この固定部が、取り付け板部に開設された窓穴に、一対の取り付け板部間へのベース部分の入れ込みに伴ってこの取り付け板部の内面に突き当てられて一旦弾性変形した後の弾発によってこの窓穴に入り込む掛合突部としてあることを特徴とする請求項１記載の脚装置。
【請求項３】
ロック体部分の下端部であって、雌ねじ状部の側方にこの下端部から前方に突き出すセット用突き出し部が形成されていることを特徴とする請求項１又は請求項２記載の脚装置。
【請求項４】
セット用突き出し部の内面が平滑面となっていることを特徴とする請求項３記載の脚装置。
【発明の詳細な説明】
【技術分野】
【０００１】
この発明は、各種の支持対象物に取り付けられてこの支持対象物の脚となると共に、かかる支持対象物を高さ調整可能に支持する機能を備えた脚装置の改良に関する。
【背景技術】
【０００２】
下端部に接地部を備えたボルト状をなす脚と、この脚の雄ねじ部に噛み合う部分を備えたナット的に機能する部材とを有し、この脚をもって支持対象物を高さ調整可能に支持するものとして、特許文献１および特許文献２に示されるものがある。
【０００３】
しかるに、これらのものにあっては、支持対象物に固定されるケースと、このケース内に配されるナット的に機能する部材、この部材を付勢するためのバネ、そして前記脚の少なくとも４つのパーツを必ず必要とするものであった。
【特許文献１】特開平１１−８２８８１号公報
【特許文献２】特開２００３−３１１０９２号公報
【発明の開示】
【発明が解決しようとする課題】
【０００４】
この発明が解決しようとする主たる問題点は、この種の脚装置の構成部品点数を効果的に減少させながら適切に構成できるようにする点にある。
【課題を解決するための手段】
【０００５】
前記問題点を解決するために、この発明にあっては、脚装置を以下の（１）〜（４）の構成を備えたものとした。
（１）支持対象物を高さ調整可能に支持する脚装置であって、
（２）下端部に接地部を有した雄ねじ状をなす脚軸と、この脚軸に昇降可能に支持される昇降体とを備えており、
（３）この昇降体は、
支持対象物への固定部を備えると共に、脚軸の通し抜け穴を備えたベース部分と、
このベース部分に上端部を回動可能に組み付けさせると共に、下端部の前面側に脚軸の雄ねじ部に噛み合う雌ねじ状部を有したロック体部分とを有しており、
（４）しかも、前記ベース部分が、ロック体部分の雌ねじ状部を前記通し抜け穴に差し通される脚軸の外周面に押しつけるように、このロック体部分の背面側に接する弾性片を一体に備えている。
【０００６】
かかる構成によれば、前記脚軸と、昇降体を構成するベース部分と、昇降体を構成するロック体部分との３パーツによって、支持対象物を高さ調整可能に支持する脚装置を適切に構成させることができる。
【０００７】
すなわち、ロック体部分を弾性片を外向きに弾性変形させて後退させながら昇降体の通し抜け穴に脚軸を入れ込ませることにより、この入れ込み後の弾性片の弾性復帰によりロック体部分を前方に押し戻してこのロック体部分の雌ねじ状部を入れ込まされた脚軸の雄ねじ部に押しつけ噛み合わさせた脚装置を構成させることができる。支持対象物にベース部分の固定部によって取り付けられた脚装置は、脚軸を回転操作させることにより、昇降体の下面と脚軸の接地部との間の寸法を変え、これにより、支持対象物の高さの微調整が可能とされる。また、昇降体の下面からの脚軸の突き出し量を増やす調整、つまり、支持対象物の高さを大きくする調整は、脚軸を下方に向けて相応の力で引っ張ることで大幅になすことができる。すなわち、このように脚軸に下方に向けて引っ張る力が作用されると、脚軸の雄ねじ部に雌ねじ状部を噛み合わせているロック体部分は弾性片を外向きに撓み込ませながらベース部分との回動組み付け位置を中心に下端部を後退させるように回動されることから、この脚軸の引っ張りを止めるまで脚軸を一気に下方に向けて引き出すことが可能とされる。また、昇降体が下降し切った位置、および、昇降体が上昇し切った位置において、脚軸が誤ってさらに回転操作された場合にも、この回転操作によって雌ねじ状部を破損させないように、ロック体部分を弾性片を外向きに撓み込ませながらベース部分との回動組み付け位置を中心に下端部を後退させるように回動させることができる。
【０００８】
前記ベース部分が、通し抜け穴を備えた上板部と、通し抜け穴を備えた下板部と、この上下板部間に亘る一対の側板部とを有しており、支持対象物に形成された一対の取り付け板部間に、この一対の取り付け板部の一方に一対の側板部の一方を接しさせ、かつ、この一対の取り付け板部の他方に一対の側板部の他方を接しさせるようにしてこの支持対象物に組み合わされるようになっていると共に、
この一対の側板部にそれぞれ固定部を形成させており、
この固定部を、取り付け板部に開設された窓穴に、一対の取り付け板部間へのベース部分の入れ込みに伴ってこの取り付け板部の内面に突き当てられて一旦弾性変形した後の弾発によってこの窓穴に入り込む掛合突部によって構成させておくこともある。
【０００９】
このようにした場合、支持対象物の一対の取り付け板部間にベース部分を入れ込むことにより、この取り付け板部の窓穴にベース部分の掛合突部を掛合させてワンタッチでかかる支持対象物に脚装置を備え付けさせることができる。
【００１０】
前記ロック体部分の下端部であって、雌ねじ状部の側方にこの下端部から前方に突き出すセット用突き出し部を形成させておくこともある。
【００１１】
このようにした場合、ベース部分にロック体部分を回動可能に組み合わせた後に、このベース部分の通し抜け穴に脚軸を入れ込ませる脚装置のアッセンブリーにあたり、前記セット用突き出し部にドライバなどの工具の先端を押しつけるなどして弾性片を外向きに撓み込ませながらロック体部分の下端部を容易に後退移動させることができ、この後退移動により入れ込まれる脚軸の雄ねじ部とロック体部分の雌ねじ状部とがこの入れ込み時に干渉しないようにすることができる。
【００１２】
前記セット用突き出し部の内面は、平滑面としておくことが最良とされる。
【００１３】
このようにした場合、前記脚軸の入れ込みにあたって、脚軸を後退されたロック体部分のセット用突き出し部の内面に干渉させることなく、この入れ込みを円滑に行わさせることができる。
【発明の効果】
【００１４】
この発明によれば、雄ねじ部を備えた脚軸と、昇降体を構成するベース部分と、昇降体を構成するロック体部分との３パーツにより、支持対象物を高さ調整可能に支持する脚装置を適切に構成することができる。
【発明を実施するための最良の形態】
【００１５】
以下、図１ないし図１７に基づいて、この発明を実施するための最良の形態について説明する。
【００１６】
なお、ここで図１は、実施の形態にかかる脚装置を上方から見て、また、図２ないし図５は、脚装置の使用状態をそれぞれ示しており、特に、図３は、ロック体部分２１が後退した様子を、また、図４および図５は、昇降体２が最も下降した状態を示している。また、図６ないし図１０は、昇降体２を構成するベース部分２０を、図１１ないし図１３は、脚軸１を、図１４ないし図１７は、昇降体２を構成するロック体部分２１を、それぞれ示している。
【００１７】
この実施の形態にかかる脚装置は、各種の支持対象物Ｐに取り付けられてこの支持対象物Ｐの脚となると共に、かかる支持対象物Ｐを高さ調整（レベル調整）可能に支持する機能（アジャスター機能）を備えたものである。
【００１８】
具体的には、かかる脚装置は、例えば、いわゆる液晶プロジェクター、映写機、スライド映写機などの投影機の脚として、あるいはまた、三脚などの脚の下端部に取り付けられてこの脚の一部をなすものとして、用いることができる。この脚装置がかかる投影機に用いられる場合には、この投影機の投影レンズが設けられた前部側の下部に設けられてこの投影機の傾斜角を調整するように用いられ、これにより、この投影レンズから投影される映像がスクリーンなどに映し出される高さ位置を調整するように用いられる。
【００１９】
かかる脚装置は、脚軸１と昇降体２とを備えている。
【００２０】
脚軸１は、下端部に接地部１０を有した雄ねじ状をなすように構成されている。図示の例にあっては、かかる脚軸１は下端部に円盤状部１０１を有していると共に、この円盤状部１０１の下面にクッション材１０２を備えている。そして、このクッション材１０２を床面、地面、テーブル面などの接地面Ｇに接地させて、この接地面Ｇ上に支持対象物Ｐを支持させるようになっている。
【００２１】
また図示の例では、かかる脚軸１は、下端部側と上端部側とにそれぞれ無ねじ部１１を有していると共に、両無ねじ部１１、１１間に雄ねじ部１２を備えるように構成されている。この脚軸１の雄ねじ部１２には、前記昇降体２を構成する後述するロック体部分２１の雌ねじ状部２１２ａが噛み合わされ、前記円盤状部１０１を把持してなす脚軸１の回転操作によってこの昇降体２は上昇又は下降される。
【００２２】
また、図示の例にあっては、脚軸１の上端部に、前記昇降体２の後述するベース部分２０の通し抜け穴２０２への下方からのこの脚軸１の入れ込みに伴って、一旦弾性変形した後、この通し抜け穴２０２から上方に抜け出した位置において弾発してこの通し抜け穴２０２に掛合される弾性掛合片１３が形成されている。
【００２３】
図示の例にあっては、脚軸１は中空の筒状に構成されていると共に、この上端部の末端において溝端を外方に解放させて脚軸１の軸線方向に延びる二条の割溝１４、１４によってこれらの割溝１４、１４間に前記弾性掛合片１３を形成させている。かかる弾性掛合片１３は脚軸１の直径方向両側に形成されている。また、図示の例では、二つの弾性掛合片１３、１３のうちの一方が脚軸１の上端部の末端よりもより上方に突き出すようになっている。二つの弾性掛合片１３、１３の上端であってその外面部にはそれぞれ、突部１３１が形成されている。この突部１３１は脚軸１の下端部側に向いた掛合面１３２を有すると共に、頂部１３３を挟んだ上方側にこの頂部１３３に向かうに連れて次第に突部１３１の突き出し寸法を大きくする向きに傾斜した傾斜面１３４を有している。そして、二つの弾性掛合片１３、１３の突部１３１の頂部１３３間の寸法が、昇降体２の通し抜け穴２０２の穴径よりもやや大きくなるようにしてある。昇降体２と脚軸１とを前記のようにこの脚軸１を通し抜け穴２０２に入れ込ませて組み合わさせるにあたり、弾性掛合片１３は前記突部１３１の傾斜面１３４を通し抜け穴２０２の穴口縁に突き当ててスムースに弾性変形され、この通し抜け穴２０２から上方に抜け出した位置で弾性復帰して通し抜け穴２０２に前記掛合面１３２を掛合させる。
【００２４】
これにより、図示の例にあっては、昇降体２を取り付けた支持対象物Ｐを持ち上げるなどした場合などにおいて、昇降体２の通し抜け穴２０２から予期せず脚軸１が抜け落ちてしまうことがないようになっている。
【００２５】
また、図示の例にあっては、二つの弾性掛合片１３、１３の一方が他方よりも上方に長く延びており、二つの弾性掛合片１３、１３の突部１３１の頂部１３３の位置が上下に異なっていることから、通し抜け穴２０２への脚軸１の入れ込みにあたり、二つの弾性掛合片１３、１３の双方を同時に最大限内向きに弾性変形させることなくこの入れ込みをなすことができ、この入れ込みを容易に行えるようになっている。それと共に、図示の例にあっては、二つの弾性掛合片１３、１３のうちの他方の弾性掛合片１３（短い方）の突部１３１の掛合面１３２に昇降体２の通し抜け穴２０２の上側の穴口が突き当たった位置においては脚軸１の雄ねじ部１２にロック体部分２１の雌ねじ状部２１２ａが未だ噛み合うようにしてあると共に、これを越えて脚軸１の回転操作によって昇降体２が上昇されてロック体部分２１の雌ねじ状部２１２ａが前記無ねじ部１１の形成位置に位置された場合には、二つの弾性掛合片１３、１３のうちの一方の弾性掛合片１３（長い方）の突部１３１の掛合面１３２に昇降体２の通し抜け穴２０２の上側の穴口が突き当たるようにしてあり、昇降体２が上昇され切った位置においての昇降体２からの脚軸１の抜け出しを確実に阻止できるようになっている。
【００２６】
脚軸１を構成する前記円盤状部１０１の外周面には、この円盤状部１０１の肉厚方向に沿ったリブ１０３が、この周方向において隣り合うリブ１０３との間に間隔を開けて複数設けさせられており、この円盤状部１０１を把持などして脚軸１をより容易に回転操作することができるようになっている。
【００２７】
かかる脚軸１は、昇降体２の下降させればさせるほど、この昇降体２の上面からの突き出し寸法を大きくさせる。典型的には、支持対象物Ｐにおける昇降体２の取り付け箇所にはこのように突き出される脚軸１が納まる昇降体２の通し抜け穴２０２に連通した脚軸１の収容空間Ｐａが形成される。
【００２８】
一方、昇降体２は、前記脚軸１に昇降可能に支持されるようになっている。また、この昇降体２は、ベース部分２０とロック体部分２１とを備えている。
【００２９】
ベース部分２０は、支持対象物Ｐへの固定部２０１を備えると共に、脚軸１の通し抜け穴２０２を備えている。図示の例にあっては、かかるベース部分２０は、ほぼ方形の板状をなす上板部２０３と下板部２０４とを有すると共に、この上板部２０３の三つの辺部と下板部２０４の三つの辺部との間に、側板部２０５をそれぞれ有しており、一つの側部を開放部２０６としたボックス状をなすように構成されている。そして、図示の例にあっては、上板部２０３における開放部２０６の形成側側に偏った位置と、下板部２０４における開放部２０６側に偏った位置とにそれぞれ、前記脚軸１の通し抜け穴２０２が貫通状態に形成してある。
【００３０】
ロック体部分２１は、前記ベース部分２０に上端部（図示の例では、後述する板状アーム部２１１の上端部）を回動可能に組み付けさせていると共に、下端部の前面（図示の例では、後述するブロック部２１２の前面２１２ｃ）側に脚軸１の雄ねじ部１２に噛み合う雌ねじ状部２１２ａを有している。
【００３１】
図示の例では、かかるロック体部分２１は、横板部分２１１ａとこの横板部分２１１ａの後方側の上部から斜め上方に延びる斜上板部分２１１ｂとよりなる板面を垂直方向に配させた一対の板状アーム部２１１、２１１と、
この一対の板状アーム部２１１、２１１の横板部分２１１ａの間に亘るように形成されたブロック部２１２とを一体に有している。
【００３２】
ブロック部２１２の前面は、板状アームの横板部分２１１ａの前端よりも後方に位置されるようになっている。そして、このブロック部２１２の前面２１２ｃに、前記雌ねじ状部２１２ａが形成されている。かかる雌ねじ状部２１２ａは、脚軸１の雄ねじ部１２に噛み合う一条又は複数状の突起を前記ブロック部２１２の前面２１２ｃに形成することで構成することができるが、図示の例では、かかる雌ねじ状部２１２ａは、脚軸１の雄ねじ部１２に噛み合う形状を持った仮想の雌ねじの一部２１２ｂを、前記ブロック部２１２の前面２１２ｃに形成させることにより構成されている。
【００３３】
また、ブロック部２１２の背面２１２ｄであって、その下縁部のほぼ中程位置には、後方に突き出す接触突部２１２ｅが形成されている。そして、この接触突部２１２ｅが、ベース部分２０における開放部２０６に対抗した位置にある側板部２０５に形成された後述する弾性片２０８に接するようになっている。（以下、ベース部分２０の三つの側板部２０５のうち、この弾性片２０８が設けられている側板部２０５を背側側板部２０５ａという。）
【００３４】
また、前記一対の板状アーム部２１１、２１１の斜上板部分２１１ｂの上端であって、その外面には、この外面から側方に突き出す太径円柱体２１２ｇと、この太径円柱体２１２ｇの突き出し端面からさらに側方に突き出す細径円柱体２１２ｈとからなる軸部２１２ｆが形成されている。一対の板状アーム部２１１、２１１の細径円柱体２１２ｈの突き出し端面間のピッチは、ベース部分２０の背側側板部２０５ａに隣り合う両側板部２０６、２０６の内面間のピッチよりやや大きくなるようにしてある。そして、図示の例にあっては、ベース部分２０の背側側板部２０５ａに隣り合う両側板部２０６、２０６の後部上隅部にそれぞれ貫通状態に設けられた軸穴２０７に対し、ロック体部分２１を前記開放部２０６を通じてこのロック体部分２１の背面、つまり、ブロック部２１２の背面２１２ｄ側を先にして入れ込ませることにより、この側板部２０６の内面に細径円柱体２１２ｈの突き出し端面を押し当てさせて一対の板状アームの斜上板部分２１１ｂ間のピッチをやや狭める向きにこの斜上板部分２１１ｂを一旦弾性的に撓み込ませた後の、この細径円柱体２１２ｈが前記軸穴２０７に入り込むロック体部分２１の入れ込み位置における弾発によって、この軸穴２０７に細径円柱体２１２ｈを入れ込ませ、これにより、ベース部分２０にロック体部分２１の上端部を回動可能に組み付けさせるようにしている。
【００３５】
また、前記ベース部分２０には、このようにベース部分２０に回動可能に組み合わされたロック体部分２１の雌ねじ状部２１２ａを前記通し抜け穴２０２に差し通される脚軸１の外周面に押しつけるように、このロック体部分２１の背面、つまり、前記ブロック部２１２の背面２１２ｄ側に接する弾性片２０８が一体に備えられている。
【００３６】
図示の例にあっては、かかる弾性片２０８は、背側側板部２０５ａの左右方向ほぼ中程の位置において、上下方向に延びる一対の縦割溝２０８ａ、２０８ａとこの一対の縦割溝２０８ａ、２０８ａの溝下端間に亘る横割溝２０８ｂとによって区分されたかかる背側側板部２０５ａの一部によって構成されている。そして、図示の例にあっては、この弾性片２０８の下端側の内面がロック体部分２１のベース部分２０の接触突部２１２ｅに常時接するようになっている。
【００３７】
具体的には、かかる弾性片２０８と接触突部２１２ｅとの接触によって、ロック体部分２１の雌ねじ状部２１２ａが脚軸１の外周面位置に位置づけられるようになっている。
【００３８】
これにより、この実施の形態にかかる脚装置にあっては、前記脚軸１と、昇降体２を構成するベース部分２０と、昇降体２を構成するロック体部分２１との３パーツによって、支持対象物Ｐを高さ調整可能に支持する脚装置を適切に構成させることができる。
【００３９】
すなわち、ロック体部分２１を弾性片２０８を外向きに弾性変形させて後退させながら昇降体２の通し抜け穴２０２に脚軸１を入れ込ませることにより、この入れ込み後の弾性片２０８の弾性復帰によりロック体部分２１を前方に押し戻してこのロック体部分２１の雌ねじ状部２１２ａを入れ込まされた脚軸１の雄ねじ部１２に押しつけ噛み合わさせた脚装置を構成させることができる。支持対象物Ｐにベース部分２０の固定部２０１によって取り付けられた脚装置は、脚軸１を回転操作させることにより、昇降体２の下面と脚軸１の接地部１０との間の寸法を変え、これにより、支持対象物Ｐの高さの微調整が可能とされる。すなわち、昇降体２は前記ロック体部分２１の雌ねじ状部２１２ａを脚軸１の雄ねじ部１２に噛み合わせており、脚軸１を回転させると雌ねじ状部２１２ａは脚軸１に沿っていわば相対的に螺進又は螺退され、これにより、少しづつ支持対象物Ｐの高さを変えることができる。また、昇降体２の下面からの脚軸１の突き出し量を増やす調整、つまり、支持対象物Ｐの高さを大きくする調整は、脚軸１を下方に向けて相応の力で引っ張ることで大幅になすことができる。すなわち、このように脚軸１に下方に向けて引っ張る力が作用されると、脚軸１の雄ねじ部１２に雌ねじ状部２１２ａを噛み合わせているロック体部分２１は弾性片２０８を外向きに撓み込ませながらベース部分２０との回動組み付け位置を中心に下端部を後退させるように回動されることから、この脚軸１の引っ張りを止めるまで脚軸１を一気に下方に向けて引き出すことが可能とされる。また、昇降体２が下降し切った位置、および、昇降体２が上昇し切った位置において、脚軸１が誤ってさらに回転操作された場合にも、この回転操作によって雌ねじ状部２１２ａを破損させないように、ロック体部分２１を弾性片２０８を外向きに撓み込ませながらベース部分２０との回動組み付け位置を中心にその下端部を後退させるように回動させることができる。（図３）
【００４０】
また、この実施の形態にあっては、前記ベース部分２０が、支持対象物Ｐに形成された一対の取り付け板部Ｐｂ、Ｐｂ間に、この一対の取り付け板部Ｐｂ、Ｐｂの一方に背側側板部２０５ａに隣り合う両側板部２０６、２０６の一方を接しさせ、かつ、この一対の取り付け板部Ｐｂ、Ｐｂの他方にこの両側板部２０６、２０６の他方を接しさせるようにしてこの支持対象物Ｐに組み合わされるようになっていると共に、この一対の側板部２０６、２０６にそれぞれ前記固定部２０１を形成させている。そして、この固定部２０１を、取り付け板部Ｐｂに開設された窓穴Ｐｃに、一対の取り付け板部Ｐｂ、Ｐｂ間へのベース部分２０の入れ込みに伴ってこの取り付け板部Ｐｂの内面に突き当てられて一旦弾性変形した後の弾発によってこの窓穴Ｐｃに入り込む掛合突部２０９としている。
【００４１】
図示の例にあっては、支持対象物Ｐに、下面を開放させると共に、上部を水平板部Ｐｅに一体に接合させた角筒状をなすボックス状ブラケット部Ｐｄが形成されている。水平板部Ｐｅにはこのブラケット部Ｐｄの内部に連通した貫通穴Ｐｆが形成されており、このブラケット部Ｐｄにベース部分２０を下方から入れ込ませて取り付けられる脚装置の脚軸１がこの貫通穴Ｐｆから上方に抜け出すようになっている。そして、このブラケット部Ｐｄにおける対向位置にある一対の側板部にそれぞれ前記窓穴Ｐｃが形成されており、この側板部が前記取り付け板部Ｐｂとして機能されるようになっている。
【００４２】
また、図示の例にあっては、前記掛合突部２０９は、ベース部分２０における背側側板部２０５ａに隣り合う側板部２０６の左右方向ほぼ中程の位置において、上下方向に延びる一対の縦割溝２０９ａ、２０９ａとこの一対の縦割溝２０９ａ、２０９ａの溝下端間に亘る横割溝２０９ｂとによって区分されたかかる側板部２０６の一部の外面に形成されている。また、かかる掛合突部２０９は、下方に向いた掛合面２０９ｃを有すると共に、頂部を挟んだ上面をこの頂部に向かうに連れて次第に外向きに広がり出す傾斜面２０９ｄとしている。
【００４３】
この結果、図示の例にあっては、支持対象物Ｐの一対の取り付け板部Ｐｂ、Ｐｂ間、つまり、前記ブラケット部Ｐｄに下方からベース部分２０を入れ込むことにより、この取り付け板部Ｐｂの窓穴Ｐｃにベース部分２０の掛合突部２０９を掛合させてワンタッチでかかる支持対象物Ｐに脚装置を備え付けさせることができる。
【００４４】
また、この実施の形態にあっては、ロック体部分２１の下端部であって、雌ねじ状部２１２ａの側方に、この下端部から前方に突き出すセット用突き出し部２１３が形成されている。具体的には、この実施の形態にあっては、ロック体部分２１の下端部に、雌ねじ状部２１２ａを間において前方に突き出す一対のセット用突き出し部２１３、２１３が形成されていると共に、
この一対のセット用突き出し部２１３、２１３間の間隔が脚軸１の外径よりも大きくなるようにしてある。
【００４５】
図示の例にあっては、ロック体部分２１の一対の板状アーム部２１１、２１１の横板部分２１１ａの前端がブロック部２１２の前面２１２ｃよりも前方に、つまり、ベース部分２０の開放部２０６側に位置されており、この横板部分２１１ａの前端とブロック部２１２の前面２１２ｃとの間が前記セット用突き出し部２１３として機能するようにしてある。
【００４６】
これにより、この実施の形態にあっては、ベース部分２０にロック体部分２１を回動可能に組み合わせた後に、このベース部分２０の通し抜け穴２０２に脚軸１を入れ込ませる脚装置のアッセンブリーにあたり、前記セット用突き出し部２１３にドライバなどの工具の先端を押しつけるなどして弾性片２０８を外向きに撓み込ませながらロック体部分２１の下端部を容易に後退移動させることができ、この後退移動により入れ込まれる脚軸１の雄ねじ部１２とロック体部分２１の雌ねじ状部２１２ａとがこの入れ込み時に干渉しないようにすることができる。図示の例では、ベース部分２０の開放部２０６を通じて前記工具の先端などを入れ込ませてかかる後退移動をなさしむるようになっている。
【００４７】
図示の例にあっては、さらに、このセット用突き出し部２１３の内面は平滑面となっていることから、前記脚軸１の入れ込みにあたって、脚軸１は後退されたロック体部分２１の一対のセット用突き出し部２１３、２１３間に支障なく入り込み通し抜けさせられる。
【図面の簡単な説明】
【００４８】
【図１】脚装置の平面図
【図２】同使用状態を示した断面図
【図３】同使用状態を示した断面図
【図４】同使用状態を示した断面図
【図５】同一部破断右側面図
【図６】ベース部分２０の平面図
【図７】同左側面図
【図８】同正面図
【図９】同一部破断右側面図
【図１０】同断面図
【図１１】脚軸１の平面図
【図１２】同断面図
【図１３】同側面図
【図１４】ロック体部分２１の平面図
【図１５】同右側面図
【図１６】同断面図
【図１７】同左側面図
【符号の説明】
【００４９】
Ｐ  支持対象物
１  脚軸
１０  接地部
１２  雄ねじ部
２  昇降体
２０  ベース部分
２０１  固定部
２０２  通し抜け穴
２０８  弾性片
２１  ロック体部分
２１２ａ  雌ねじ状部
【図１】
2005337430.tif 000003
【図２】
2005337430.tif 000004
【図３】
2005337430.tif 000005
【図４】
2005337430.tif 000006
【図５】
2005337430.tif 000007
【図６】
2005337430.tif 000008
【図７】
2005337430.tif 000009
【図８】
2005337430.tif 000010
【図９】
2005337430.tif 000011
【図１０】
2005337430.tif 000012
【図１１】
2005337430.tif 000013
【図１２】
2005337430.tif 000014
【図１３】
2005337430.tif 000015
【図１４】
2005337430.tif 000016
【図１５】
2005337430.tif 000017
【図１６】
2005337430.tif 000018
【図１７】
2005337430.tif 000019
【手続補正書】
【提出日】平成16年9月6日(2004.9.6)
【手続補正１】
【補正対象書類名】明細書
【補正対象項目名】００４０
【補正方法】変更
【補正の内容】
【００４０】
また、この実施の形態にあっては、前記ベース部分２０が、支持対象物Ｐに形成された一対の取り付け板部Ｐｂ、Ｐｂ間に、この一対の取り付け板部Ｐｂ、Ｐｂの一方に背側側板部２０５ａに隣り合う両側板部２０５、２０５の一方を接しさせ、かつ、この一対の取り付け板部Ｐｂ、Ｐｂの他方にこの両側板部２０５、２０５の他方を接しさせるようにしてこの支持対象物Ｐに組み合わされるようになっていると共に、この一対の側板部２０５、２０５にそれぞれ前記固定部２０１を形成させている。そして、この固定部２０１を、取り付け板部Ｐｂに開設された窓穴Ｐｃに、一対の取り付け板部Ｐｂ、Ｐｂ間へのベース部分２０の入れ込みに伴ってこの取り付け板部Ｐｂの内面に突き当てられて一旦弾性変形した後の弾発によってこの窓穴Ｐｃに入り込む掛合突部２０９としている。
【手続補正２】
【補正対象書類名】明細書
【補正対象項目名】００４２
【補正方法】変更
【補正の内容】
【００４２】
また、図示の例にあっては、前記掛合突部２０９は、ベース部分２０における背側側板部２０５ａに隣り合う側板部２０５の左右方向ほぼ中程の位置において、上下方向に延びる一対の縦割溝２０９ａ、２０９ａとこの一対の縦割溝２０９ａ、２０９ａの溝下端間に亘る横割溝２０９ｂとによって区分されたかかる側板部２０５の一部の外面に形成されている。また、かかる掛合突部２０９は、下方に向いた掛合面２０９ｃを有すると共に、頂部を挟んだ上面をこの頂部に向かうに連れて次第に外向きに広がり出す傾斜面２０９ｄとしている。